(57)【特許請求の範囲】
【請求項１】
洗浄水を貯水する貯水タンクに取り付けられ、該貯水タンクの底面に設けられた排水口を開閉する排水弁装置であって、
上下方向に移動して前記排水口を開閉する弁体と、
前記弁体に取り付けられ前記貯水タンク内の水位の低下に連動して下降するフロートと、
前記フロートに取り付けられ、前記弁体が下降を開始するタイミングを可変とする下降開始タイミング可変機構と、
を備え、
前記下降開始タイミング可変機構は、
外周側に全周に亘って側壁が設けられて該側壁の上縁部まで洗浄水の貯水が可能となっている貯水部と、
前記貯水部の下面から前記側壁の上端部までの高さを設定して前記貯水部に貯水される洗浄水量を調整する調整部と、
を有し、
前記調整部は、
前記貯水部の下面に対する前記側壁の上端部の高さ位置を支持する支持手段と、
前記支持手段による前記貯水部の下面に対する前記側壁の上端部までの高さ位置の支持が解除されることを規制するロック手段と、
を有する排水弁装置。
【請求項２】
前記下降開始タイミング可変機構は、
上方に向けて開口する外筒と、
前記外筒の内側に上方から挿入されて前記外筒の内側に固定される筒体と、
を有し、
前記支持手段は、
前記外筒の側面に設けられた高さ位置の異なる複数の溝部と、
前記筒体の側面から外周へ向けて突出し、前記筒体を周方向へ回転させることで前記溝部と嵌合する凸部と、
を有し、
前記ロック手段は、
前記凸部と前記溝部が嵌合している状態において、前記筒体の周方向への回転動作を規制する請求項１記載の排水弁装置。
【請求項３】
前記ロック手段は、
前記外筒の側面に設けられた縦溝と、
前記筒体の側面において外周へ向けて突起し、前記凸部と前記溝部が嵌合している状態において前記縦溝に挿通する突起部と、
を有し、
前記突起部は、下面が外周に向けて上方へ傾斜している請求項２記載の排水弁装置。
【請求項４】
請求項１乃至３の何れか１項に記載の排水弁装置を備えた貯水タンク装置。
【請求項５】
請求項４に記載の貯水タンク装置を備えた水洗大便器。
【発明の詳細な説明】
【技術分野】
【０００１】
本発明は、排水弁装置、貯水タンク装置、及び水洗大便器に関する。
【０００２】
従来から、貯水タンク装置に貯水した洗浄水により便器本体が洗浄される水洗大便器が知られている。この貯水タンク装置には、排水弁装置が使用されているが、この排水弁装置の一例として、洗浄水タンク内の排水口に対して弁体が鉛直方向に上下動することにより排水口を開閉する排水弁装置が使用されている。このような排水弁装置として、弁体に浮力を作用させるフロートを弁体と一体に形成したものが知られている（特許文献１）。
【先行技術文献】
【特許文献】
【０００３】
【特許文献１】米国特許第８０７９０９５号明細書
【発明の概要】
【発明が解決しようとする課題】
【０００４】
しかし、特許文献１のような排水弁装置では、弁体による排水口の開放時間が常にほぼ一定であるので、予め規定された洗浄水量しか便器本体に供給することができない。便器の種類により洗浄水量が異なるため、排水弁装置を他の種類の便器に適用することができないようになっていた。
【０００５】
そこで、洗浄水量を調整することにより異なる種類の便器に適応できる排水弁装置が望まれている。しかし、便器には種類に応じて適した洗浄水量がある。したがって、そういった排水弁装置を便器に適用する場合、排水弁装置は適用する便器の種類に適した洗浄水量に調整して施工した後に、使用者や外部干渉によって簡単に洗浄水量を変更されないようにすることが好ましい。
【０００６】
本発明は、上述した課題を解決するためになされたものであり、洗浄水量を調整することにより異なる種類の便器に適応できる排水弁装置において、適用する便器の種類に適した洗浄水量に調整して施工した後に、使用者や外部干渉によって簡単に洗浄水量を変更されない排水弁装置を提供することを目的とする。
【課題を解決するための手段】
【０００７】
本発明の一態様に係る排水弁装置は、洗浄水を貯水する貯水タンクに取り付けられ、貯水タンクの底面に設けられた排水口を開閉する排水弁装置であって、上下方向に移動して排水口を開閉する弁体と、弁体に取り付けられ貯水タンク内の水位の低下に連動して下降するフロートと、フロートに取り付けられ、弁体が下降を開始するタイミングを可変とする下降開始タイミング可変機構と、を備え、下降開始タイミング可変機構は、外周側に全周に亘って側壁が設けられて側壁の上縁部まで洗浄水の貯水が可能となっている貯水部と、貯水部の下面から側壁の上端部までの高さを設定して貯水部に貯水される洗浄水量を調整する調整部と、を有し、調整部は、貯水部の下面に対する側壁の上端部までの高さ位置を支持する支持手段と、支持手段による貯水部の下面に対する側壁の上端部までの高さ位置の支持が解除されることを規制するロック手段と、を有する。
【０００８】
このように構成された排水弁装置によれば、調整部に設けられたロック手段により、支持手段による貯水部の下面から側壁の上端部までの高さの支持が解除されることを規制することで、一度側壁の高さを設定した後は下降開始タイミング可変機構の側壁の高さが簡単に変更されない。したがって、適用する便器の種類に適した洗浄水量に調整して施工した後に、使用者や外部干渉によって簡単に洗浄水量を変更されないようにすることができる。
【０００９】
また、本発明の一態様に係る排水弁装置は、下降開始タイミング可変機構は、上方に向けて開口する外筒と、外筒の内側に上方から挿入されて外筒の内側に固定される筒体と、を有し、支持手段は、外筒の側面に設けられた高さ位置の異なる複数の溝部と、筒体の側面から外周へ向けて突出し、筒体を周方向へ回転させることで溝部と嵌合する凸部と、を有し、ロック手段は、凸部と溝部が嵌合している状態において、筒体の周方向への回転動作を規制してもよい。
【００１０】
このように構成された排水弁装置によれば、調整部に設けられたロック手段により、凸部と溝部が嵌合している状態において側壁の周方向への回転動作を規制することで、一度凸部と溝部とを嵌合させて側壁の高さを設定した後は凸部と溝部との嵌合を簡単に解除されない。したがって、適用する便器の種類に適した洗浄水量に調整して施工した後に、使用者や外部干渉によって簡単に洗浄水量を変更されないようにすることができる。
【００１１】
また、本発明の一態様に係る排水弁装置は、ロック手段は、外筒の側面に設けられた縦溝と、筒体の側面において外周へ向けて突起し、凸部と溝部が嵌合している状態において縦溝に挿通する突起部と、を有し、突起部は、下面が外周に向けて上方へ傾斜していてもよい。
【００１２】
このように構成された排水弁装置によれば、突起部の下面が外周に向けて上方へ傾斜している。筒状の側壁を外筒の内側に上方から挿入する際には、突起部の下面が外筒の上端を摺動しながら挿入されるため、外筒内への側壁の挿入がし易い。
【００１３】
また、本発明の一態様に係る排水弁装置は、貯水タンク装置に備えてもよい。
【００１４】
このように構成された貯水タンク装置によれば、適用する便器の種類に適した洗浄水量に調整して施工した後に、使用者や外部干渉によって簡単に洗浄水量を変更されないようにすることができる。
【００１５】
また、本発明の一態様に係る排水弁装置を備えた貯水タンク装置を、水洗大便器に備えてもよい。
【００１６】
このように構成された水洗大便器によれば、適用する便器の種類に適した洗浄水量に調整して施工した後に、使用者や外部干渉によって簡単に洗浄水量を変更されないようにすることができる。
【発明の効果】
【００１７】
本発明によれば、洗浄水量を調整することにより異なる種類の便器に適応できる排水弁装置において、適用する便器の種類に適した洗浄水量に調整して施工した後に、使用者や外部干渉によって簡単に洗浄水量を変更されないようにすることができる。
【図面の簡単な説明】
【００１８】
【図１】本実施形態における水洗大便器を示す側面断面図である。
【図２】図１におけるＡ−Ａ断面図である。
【図３】本実施形態における死水水位を高い位置に設定した（高ＤＷＬ設定の）排水弁装置の断面図である。
【図４】本実施形態における死水水位を低い位置に設定した（低ＤＷＬ設定の）排水弁装置の断面図である。
【図５】本実施形態における排水弁装置の斜視図である。
【図６】本実施形態における下降開始タイミング可変機構を示す斜視図である。
【図７】本実施形態における下降開始タイミング可変機構の貯水部の側壁を示す斜視図である。
【図８】本実施形態における排水弁装置の弁体をガイドするガイド部を示す斜視図である。
【図９】本実施形態における排水弁装置の基本動作について説明するための図である。
【図１０】本実施形態における排水弁装置を高ＤＷＬ設定にするときの側壁の突出高さ位置の設定方法を説明するための図である。
【図１１】本実施形態における排水弁装置を低ＤＷＬ設定にするときの側壁の突出高さ位置の設定方法を説明するための図である。
【図１２】本実施形態における排水弁装置の一連の動作を説明するための図である。
【図１３】本実施形態における排水弁装置の一連の動作を説明するための図である。
【図１４】本実施形態における排水弁装置の一連の動作を説明するための図である。
【図１５】本実施形態における排水弁装置の一連の動作を説明するための図である。
【図１６】本実施形態における排水弁装置の一連の動作を説明するための図である。
【発明を実施するための形態】
【００１９】
＜水洗大便器の構成＞
まず、図１を参照して、本実施形態における水洗大便器について説明する。図１は、本実施形態における水洗大便器を示す側面断面図である。
【００２０】
図１に示すように、本実施形態における水洗大便器１は、トイレ室の床面に設置される便器本体２と、この便器本体２の後方の上部に設置され、便器本体２に供給される洗浄水を貯水するための貯水タンク装置４と、を備える。
【００２１】
便器本体２は、汚物を受けるボウル部６と、貯水タンク装置４から供給される洗浄水をボウル部６へ導く導水路８と、ボウル部６の下部にその入口が接続され、ボウル部６内の汚物を外部の排水管（図示せず）へ排出する排水トラップ管路１０と、を備える。
【００２２】
ボウル部６は、上縁部において内側にオーバーハングしたリム部１２と、このリム部１２の便器の左側側方に設けられ、導水路８から供給される洗浄水を便器の前方に吐水する第１吐水口１４と、便器左側側方で溜水面の上方位置に設けられ、導水路８から供給される洗浄水を横方向に吐水する第２吐水口１６と、を備える。
【００２３】
排水トラップ管路１０は、その入口から上方へ延びる上昇路部分と、上昇路部分の末端から下方に延びて外部の排水管（図示せず）に接続される下降路部分と、を備える。ボウル部６から排水トラップ管路１０の上昇路部分にかけては、水封状態を形成するための洗浄水が貯水される。なお、貯水された洗浄水を「溜水」といい、溜水の水面が溜水面である。
【００２４】
水洗大便器１は、ボウル部６内の洗浄水の落差による流水作用で汚物を押し流す、いわゆる洗い落とし式大便器である。水洗大便器１においては、第１吐水口１４から前方へ吐水された洗浄水が旋回しながら下降してボウル部６を洗浄し、さらに、第２吐水口１６から吐水された洗浄水が縦方向に旋回して、汚物を攪拌して、排水トラップ管路１０へ押し出すようになっている。本発明においては、この洗い落とし式大便器に限定されず、サイホン式大便器等の他のタイプの水洗大便器であってもよい。
【００２５】
＜貯水タンク装置の構成＞
次に、図２を参照して、本実施形態における貯水タンク装置について説明する。図２は、図１におけるＡ−Ａ断面図である。
【００２６】
図２に示すように、貯水タンク装置４は、洗浄水を貯水する貯水タンク１８と、この貯水タンク１８の蓋部２０と、貯水タンク１８内に設けられる給水装置２２と、排水弁装置２４と、を備える。
【００２７】
貯水タンク１８は、例えば陶器製であり、上部が開口した略矩形の容器である。また、通常、上部の開口は、例えば、陶器製の蓋部２０（図１参照）によって閉塞される。なお、図２では、蓋部２０の図示を省略している。
【００２８】
貯水タンク１８の外側面には、レバーハンドル２６が設けられる。レバーハンドル２６は、その基部２６ａの軸まわりに回動する。また、レバーハンドル２６には、貯水タンク１８内にほぼ水平に延出し、先端側が下方へ向けて屈曲したほぼＬ字形のスピンドル２８が、レバーハンドル２６の回動軸と同軸で連結される。スピンドル２８は、レバーハンドル２６の回動操作によって、図２における手前側及び奥側へ回動するようになっている。
【００２９】
スピンドル２８の先端部は、排水弁装置２４のほぼ直上に位置する。また、スピンドル２８の先端部には、連結部材である玉鎖３０の一端が接続される。この玉鎖３０の他端は、排水弁装置２４の後述するフロート４８に接続される。
【００３０】
貯水タンク１８の底面には、排水口３２が設けられ、この排水口３２は、導水路８（図１参照）へ連通し、洗浄水を導水路８へと供給するようになっている。排水口３２は、排水弁装置２４により開閉される。
【００３１】
貯水タンク１８内には、給水装置２２が設けられる。給水装置２２は、給水管３４と、小タンク３６と、給水用フロート３８と、を備える。給水管３４は、貯水タンク１８外の給水源（図示せず）に接続されるとともに、貯水タンク１８の底面から上方へと延びる。また、給水管３４の下部には、貯水タンク１８内へと洗浄水を供給する給水口３４ａが設けられる。
【００３２】
さらに、給水管３４の上部には、ダイヤフラム式の給水弁（図示せず）が設けられ、この給水弁により、給水管３４から供給される洗浄水の貯水タンク１８内への給水と止水とが切り換わるようになっている。
【００３３】
小タンク３６は、ほぼ矩形の容器であり、給水管３４の側方に着脱自在に設けられる。小タンク３６には、底面に設けられた開口（図示せず）を開閉する逆止弁（図示せず）が設けられる。給水用フロート３８は、小タンク３６内に配置され、小タンク３６内の水位に応じて上下動する。
【００３４】
給水用フロート３８は、揺動体４０を介して給水弁（図示せず）に接続され、上下動によって給水弁を開閉する。具体的には、給水用フロート３８は、小タンク３６に貯水された洗浄水が下面に形成された開口（図示せず）から排水されるので、小タンク３６内の水位の下降に連動して下降する。そして、給水弁は、給水用フロート３８が下降することにより開放され、給水口３４ａから貯水タンク１８内へと洗浄水を供給する。
【００３５】
＜排水弁装置の構成＞
次に、図３〜８を参照して、本実施形態における排水弁装置について説明する。図３は、本実施形態における死水水位を高い位置に設定した（高ＤＷＬ設定の）排水弁装置の断面図である。図４は、本実施形態における死水水位を低い位置に設定した（低ＤＷＬ設定の）排水弁装置の断面図である。図５は、本実施形態における排水弁装置の斜視図である。図６は、本実施形態における下降開始タイミング可変機構を示す斜視図である。図７は、本実施形態における下降開始タイミング可変機構の貯水部の側壁を示す斜視図である。図８は、本実施形態における排水弁装置の弁体をガイドするガイド部を示す斜視図である。
【００３６】
図３〜５に示すように、排水弁装置２４は、排水口３２の上方に配置され、その弁体４２が鉛直方向に上下動して排水口３２を開閉する、いわゆる直動式の排水弁装置である。排水弁装置２４は、台座４４と、オーバーフロー管４６とを備える。
【００３７】
台座４４は、排水口３２のほぼ直上に配置される。台座４４は、所定間隔をあけて、排水口３２の中心に対して同心円状に並んだ複数の柱部４４ａを備え、その最下部が排水口３２と螺合する。また、台座４４の下部には、排水口３２へ連通する排水空間４４ｃが形成される。洗浄水は、柱部４４ａと柱部４４ａとの間の開口４４ｄから排水空間４４ｃを通過した後、排水口３２から排水される。
【００３８】
また、排水弁装置２４は、弁体４２と、フロート４８と、下降開始タイミング可変機構５０とを備える。弁体４２は、円板状に形成され、排水口３２と対向する下面に、ゴム製のシール部４２ａを有する。このシール部４２ａは、シール部支え部材４２ｂにより弁体４２の下方に取り付けられるようになっている。このシール部支え部材４２ｂは、弁体４２の下面となり、その中心部には、フロート４８内の洗浄水を排出するための穿孔４２ｃが形成されている。
【００３９】
フロート４８は、上端が閉鎖された円筒形状の内筒４８ａと、この内筒４８ａの外側に上端が解放された外筒４８ｂを備え、内筒４８ａと外筒４８ｂの下端は下面４８ｃにより閉鎖され、さらに、内筒４８ａと外筒４８ｂの下端が弁体４２と接続され、弁体４２と一体的に設けられている。このフロート４８は、貯水タンク１８内の水位が低下して所定高さに達すると、その後の水位の低下に連動して下降する。
【００４０】
下降開始タイミング可変機構５０は、フロート４８の浮力調整機構であり、フロート４８の周囲及び上方の領域に設けられる。下降開始タイミング可変機構５０は、貯水タンク１８内の水位の低下に連動して弁体４２およびフロート４８が下降を開始する際の貯水タンク１８内の水位を変更する（可変にする）ためのものである。
【００４１】
下降開始タイミング可変機構５０は、貯水部５２と調整部５４を備えている。貯水部５２は、フロート４８の周囲及び上方の領域に形成されている。具体的には、貯水部５２は、フロート４８の内筒４８ａと、外筒４８ｂと、下面４８ｃとにより形成された上部が解放されたドーナッツ形状の容器を備えている。さらに、貯水部５２は、外筒４８ｂの内側に上方から挿入され外筒４８ｂの内側に固定される上端と下端が解放された円筒形状の筒体６２を備えている。この筒体６２は、貯水部５２の側壁として全周に亘って形成され、筒体６２の上縁部まで洗浄水の貯水が可能となっている。このように、貯水部５２は、フロート４８の内筒４８ａ、外筒４８ｂ、下面４８ｃ、筒体６２により形成され、それらにより形成された内部空間（フロート４８の周囲と上方の領域）に洗浄水を貯水する貯水領域を形成する。
【００４２】
図６、７に示すように、下降開始タイミング可変機構５０の調整部５４は、外筒４８ｂの側面に貫通して設けられた溝部６４と、筒体６２の側面から外周へ向けて突出した凸部７２と、を有する支持手段を備えている。溝部６４は、所定間隔をあけて外筒４８ｂの軸方向に沿って高さ位置の異なる位置に複数（具体的には５個）設けられている。つまり、筒体６２の凸部７２が嵌合する外筒４８ｂの溝部６４の高さ位置に応じて、外筒４８ｂよりも上方へ突出する筒体６２の突出高さの位置が調整される。これに関連して、筒体６２の表面には、フロート４８の外筒４８ｂの５個の溝部６４の位置に対応して、水平方向（横方向）に延びる１から５の線が描かれており、凸部７２が特定の溝部６４に挿通したとき、対応する位置の線が外筒４８ｂの上縁のすぐ上に位置して、外部から見ることができるようになっている。
【００４３】
また、下降開始タイミング可変機構５０の調整部５４は、外筒４８ｂの側面において貫通して溝部６４に連通するように鉛直方向に延びる縦溝６８と、筒体６２の側面から外周へ向けて突起した突起部７４と、を有するロック手段を備えている。突起部７４は、略矩形状の突起であり、左側面７４ａと、右側面７４ｂと、前面７４ｃと、下面７４ｄと、を有する。下面７４ｄは、筒体６２の側面から外周側に向けて上方へ傾斜している。
【００４４】
図６に示すように、凸部７２が溝部６４に嵌合している状態において、突起部７４が縦溝６８に挿通している。これにより、凸部７２が溝部６４に嵌合している状態において筒体６２を周方向へ回転させようとした場合、突起部７４の右側面７４ｂと縦溝６８とが当接することにより、筒体６２の周方向の回転動作が規制される。
【００４５】
フロート４８の外筒４８ｂの縦溝６８及び溝部６４が形成された領域には、これらの縦溝６８及び溝部６４を取り囲み且つ水平方向外側に突出した壁部６９が設けられている。この壁部６９の両側６９ａはフロート４８の軸方向（上下方向）に沿って延びている。この壁部６９の外方向の先端部は、調整部である縦溝６８、溝部６４、凸部７２より外側に位置するように形成されている。
【００４６】
図５、８に示すように、ガイド部８２は、台座４４上に設けられ、フロート４８の外筒４８ｂが挿入可能な円筒状に形成される。ガイド部８２の外周面の対向する２箇所には、外方向に突出し上下方向に延びるガイド溝８４が形成されている。このガイド部８２のガイド溝８４には、上述したフロート４８の外筒４８ｂの外側に形成された壁部６９が微小隙間を介して挿入され、貯水部５２の上下動がガイドされるようになっている。このガイド部８２により、弁体４２の上下動が安定する。
【００４７】
ガイド部８２の一方のガイド溝８４の両側には、ガイド溝８４に沿って上下方向に延びる２個の開口８６が形成されている。開口８６は、ほぼ矩形に形成されている。ガイド部８２に開口８６が形成されているので、ガイド部８２の内部に設定された貯水量を超える余分な洗浄水が存在する場合、その余分な洗浄水を開口８６から流出させることができる。このため、貯水部５２の貯水量が安定する。また、貯水部５２の外筒４８ｂの外側に形成された壁部６９がガイド部８２の上下方向に延びるガイド溝８４に挿入されているので、弁体４２及びフロート４８の周方向の移動が規制されるようになっている。
【００４８】
ここで、開口８６の面積は、ガイド部８２内の洗浄水の水位が、貯水タンク１８内の洗浄水の水位とほぼ同等速度で低下する程度の大きさに形成される。
【００４９】
＜排水弁装置の基本動作＞
次に、図９を参照して、本実施形態における排水弁装置の基本動作について説明する。図９は、本実施形態における排水弁装置の基本動作について説明するための図である。
【００５０】
貯水タンク１８から供給する洗浄水量を多くするように設定したい場合、排水弁装置２４において、貯水タンク１８への給水を完了した際の洗浄水の水位（止水水位）と、上述した死水水位との差を大きくする。すなわち、図９の左に示した低ＤＷＬに設定する（「低ＤＷＬ設定」という）。反対に、貯水タンク１８から供給する洗浄水量を少なくするように設定したい場合、止水水位と死水水位との差を小さくする。すなわち、図９の右に示した高ＤＷＬに設定する（「高ＤＷＬ設定」という）。
【００５１】
フロート４８は、貯水タンク１８内の水位が低下して所定高さの水位ＷＬ１，ＷＬ２に達すると、図中に白抜き矢印で示すように、以降の水位の低下に連動して下降する。
【００５２】
下降開始タイミング可変機構５０は、貯水タンク１８内の水位の低下に連動して弁体４２及びフロート４８が下降を開始するタイミングを可変する。具体的には、弁体４２及びフロート４８が下降を開始する際における水位ＷＬ１，ＷＬ２に対する弁体４２の高さ位置を可変する。なお、水位ＷＬ１，ＷＬ２に対する弁体４２の高さ位置とは、水位ＷＬ１，ＷＬ２と弁体４２との相対高さであり、具体的には、洗浄水の水面から弁体４２までの距離Ｌ１，Ｌ２を指す。
【００５３】
ここで、図９に示すように、低ＤＷＬ設定の場合と高ＤＷＬ設定の場合とは共に、弁体４２が下降を始めてから排水口３２を閉塞するまでにかかる時間がほぼ同一である。一方、低ＤＷＬ設定の場合と高ＤＷＬ設定の場合とでは、弁体４２が下降を開始するタイミングが異なる。
【００５４】
したがって、本実施形態に係る排水弁装置２４によれば、弁体４２の下降開始タイミングを変更可能とすることができるので、排水口３２の開放時間を変更可能とすることができる。これにより、便器への洗浄水量を可変することができ、便器の種類に応じて洗浄水量を調整することができる。
【００５５】
＜側壁の突出高さの位置の設定方法＞
次に、図１０，１１を参照して、本実施形態における下降開始タイミング可変機構の側壁の突出高さの位置の設定方法について説明する。図１０は、本実施形態における排水弁装置を高ＤＷＬ設定にするときの側壁の突出高さ位置の設定方法を説明するための図である。図１１は、本実施形態における排水弁装置を低ＤＷＬ設定にするときの側壁の突出高さ位置の設定方法を説明するための図である。
【００５６】
図１０（ａ）に示すように、筒体６２の凸部７２を外筒４８ｂの縦溝６８に対応させた状態で筒体６２を外筒４８ｂへ上方から挿入すると、凸部７２が縦溝６８に挿通するとともに、筒体６２の外周面に設けられた突起部７４の下面７４ｄが外筒４８ｂの上端に当接する。この状態から筒体６２を外筒４８ｂ内にさらに押し込むと、図１０（ｂ）に示すように、突起部７４の下面７４ｄが外筒４８ｂの上端を摺動しながら筒体６２が外筒４８ｂ内に挿入される。このとき、外筒４８ｂ及び筒体６２がやや弾性変形しながら、突起部７４が外筒４８ｂ内に挿入される。
【００５７】
図９（ｃ）に示すように、高ＤＷＬ設定にする場合は、凸部７２が最上位の溝部６４と平行な位置にくるまで筒体６２を外筒４８ｂ内に押し込んだ後、凸部７２が最上部の溝部６４に嵌合するように筒体６２を上面視において時計回りに回転動作させる。このとき、突起部７４が縦溝６８に挿通するとともに、外筒４８ｂ及び筒体６２の弾性変形が解除されて元の形に戻る。したがって、凸部７２と溝部６４の嵌合、及び突起部７４と縦溝６８の挿通により筒体６２の軸方向及び周方向への動作は規制され、筒体６２は外筒４８ｂ内に固定される。
【００５８】
高ＤＷＬ設定された排水弁装置２４においては、貯水部５２の筒体６２の凸部７２がフロート４８の外筒４８ｂの最上位の横溝１０６に嵌合し、外筒４８ｂに対する筒体６２の突出高さが最も高い位置にある。このとき、排水口３２から排出される洗浄水量は、最小となる。
【００５９】
また、図１１に示すように、低ＤＷＬ設定にする場合は、凸部７２が最下位の溝部６４と平行な位置にくるまで筒体６２を外筒４８ｂ内に押し込んだ後、凸部７２が最上部の溝部６４に嵌合するように筒体６２を上面視において時計回りに回転動作させる。このとき、突起部７４が縦溝６８に挿通するとともに、外筒４８ｂ及び筒体６２の弾性変形が解除されて元の形に戻る。したがって、高ＤＷＬ設定の場合と同様に、凸部７２と溝部６４の嵌合、及び突起部７４と縦溝６８の挿通により筒体６２の軸方向及び周方向への動作は規制され、筒体６２は外筒４８ｂ内に固定される。
【００６０】
低ＤＷＬ設定された排水弁装置２４においては、貯水部５２の筒体６２の凸部７２がフロート４８の外筒４８ｂの最下位の横溝１０６に嵌合し、外筒４８ｂに対する筒体６２の突出高さが最も低い位置にある。このとき、排水口３２から排出される洗浄水量は、最大となる。
【００６１】
＜排水弁装置の一連の動作＞
次に、図１２〜１６を参照して、本実施形態における貯水タンク装置から便器本体への洗浄水の供給開始から供給終了までの、排水弁装置の一連の動作について説明する。図１２〜１５は、本実施形態における排水弁装置の一連の動作を説明するための図である。なそ、図１２〜１５において、図中左方に低ＤＷＬ設定の排水弁装置を示し、図中右方に高ＤＷＬ設定の排水弁装置を示している。
【００６２】
排水弁装置２４では、低ＤＷＬ設定とすることにより、高ＤＷＬ設定よりも多量の洗浄水を排水口３２から排水する。反対に、高ＤＷＬ設定とすることにより、低ＤＷＬ設定よりも少量の洗浄水を排水口３２から排水する。
【００６３】
図１２は、洗浄水の排水が開始される前の状態を示している。低ＤＷＬ設定および高ＤＷＬ設定の排水弁装置２４において、排水口３２が弁体４２によって閉塞されている。このとき、貯水タンク１８内の水位は共に止水水位ＷＬ０である。
【００６４】
この後、レバーハンドル２６が操作されると、スピンドル２８が回動する（図２参照）。スピンドル２８が回動すると、弁体４２は、玉鎖３０に引き上げられて可動範囲の最上位置へと移動する。これにより、排水口３２から洗浄水が排水される。
【００６５】
図１３に示すように、高ＤＷＬ設定の排水弁装置２４では、洗浄水が排水されて貯水タンク１８内の水位が所定高さの水位ＷＬ１に到達すると、フロート４８の浮力と自重のバランスがくずれ、以降の水位の低下に連動して弁体４２及びフロート４８が下降を開始する。一方、低ＤＷＬ設定の排水弁装置２４では、弁体４２は、フロート４８の浮力が自重に対して十分に作用しており、最上位置に停滞したままである。なお、下降する水位を斜線入り矢印で示し、排水される洗浄水を矢線で示している。
【００６６】
次に、図１４に示すように、高ＤＷＬ設定の排水弁装置２４では、下降する水位に連動して弁体４２が下降を続けている。一方、低ＤＷＬ設定の排水弁装置２４では、貯水タンク１８内の水位が所定高さの水位ＷＬ２に到達すると、フロート４８の浮力と自重のバランスがくずれ、以降の水位の低下に連動して弁体４２及びフロート４８が下降を開始する。つまり、低ＤＷＬ設定の排水弁装置２４では、高ＤＷＬ設定の排水弁装置２４よりも遅れて弁体４２が下降を開始する。
【００６７】
また、図１４に示すように、弁体４２が下降を続けても、ガイド部８２の開口８６から洗浄水が流出するため、ガイド部８２内に洗浄水が溜まらず、貯水部５２に貯水された洗浄水を超える重さがフロート４８に付加されることはない。
【００６８】
次に、図１５に示すように、高ＤＷＬ設定の排水弁装置２４では、弁体４２が、可動範囲の最下位置に到達し、排水口３２を閉塞する。なお、弁体４２は、低下する水位に連動して最下位置に近づくと、排水口３２から排水される洗浄水の水流に引き寄せられ、急速に下降して最下位置に到達する。ここで、高ＤＷＬ設定の排水弁装置２４において、弁体４２によって排水口３２が閉塞された際の水位が死水水位ＤＷＬ１である。一方、低ＤＷＬ設定の排水弁装置２４では、下降する水位に連動して弁体４２が下降を続けている。
【００６９】
次に、図１６に示すように、高ＤＷＬ設定の排水弁装置２４よりも遅れて、低ＤＷＬ設定の排水弁装置２４でも、弁体４２が、可動範囲の最下位置に到達し、排水口３２を閉塞する。なお、弁体４２が最下位置に近づくと急速に下降して最下位置に到達する点は高ＤＷＬ設定の排水弁装置２４と同様である。ここで、低ＤＷＬ設定の排水弁装置２４において、弁体４２によって排水口３２が閉塞された際の水位が死水水位ＤＷＬ２であり、高ＤＷＬ設定の排水弁装置２４における死水水位ＤＷＬ１よりも低い。一方、いずれの設定の排水弁装置２４においても止水水位ＷＬ０は（図１２参照）は同じであるので、低ＤＷＬ設定の排水弁装置２４のほうが高ＤＷＬ設定の排水弁装置２４よりも多量の洗浄水を排水口３２から排水する。
【００７０】
上述したように、本実施形態による排水弁装置２４によれば、弁体４２が下降を開始する際の水位に対する弁体４２の高さ位置を変更して弁体４２が下降を開始するタイミングを可変することができる。弁体４２が下降を開始するタイミングを変更可能とすることにより、排水口３２の開放時間が変更可能となり、排水口３２からの排水量、すなわち、便器への洗浄水量を可変することができる。これにより、便器の種類に応じて洗浄水量を調整することができる。
【００７１】
また、本実施形態に係る貯水タンク装置４によれば、排水弁装置２４を備えているので、便器の種類に応じて洗浄水量を調整することができる。さらに、本実施形態に係る水洗大便器１によれば、貯水タンク装置４を備えているので、便器の種類に応じて洗浄水量を調整することができる。
【００７２】
＜作用・効果＞
次に、本実施形態における水洗大便器の作用効果を説明する。
【００７３】
本実施形態においては、凸部７２が溝部６４に嵌合している状態において、突起部７４が縦溝６８に挿通している。これにより、凸部７２が溝部６４に嵌合している状態において筒体６２を周方向へ回転させようとした場合、突起部７４の右側面７４ｂと縦溝６８とが当接することにより、筒体６２の周方向の回転動作が規制される。これにより、下降開始タイミング可変機構５０は、凸部７２と溝部６４を嵌合させることで一度筒体６２の突出高さを設定した後に、使用者や外部干渉によって簡単に筒体６２の突出高さを変更されない。
【００７４】
また、突起部７４の下面７４ｄは、筒体６２の側面から外周側に向けて上方へ傾斜している。これにより、筒体６２を外筒４８ｂ内に挿入する際には、筒体６２の側面に設けられた突起部７４の下面７４ｄが外筒４８ｂの上端を摺動しながら挿入されるため、外筒４８ｂ内への筒体６２の挿入がし易い。
【００７５】
以上、本願の開示する技術の実施形態について説明したが、本願の開示する技術は、上記に限定されるものではない。
【００７６】
例えば、上記実施形態では、貯水部５２の筒体６２に凸部７２が形成され、フロート４８の外筒４８ｂに溝部６４及び縦溝６８が形成されているが、逆に、貯水部５２の筒体６２に溝部及び縦溝を形成し、フロート４８の外筒４８ｂに凸部を形成するようにしてもよい。
【００７７】
前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１        水洗大便器
２        便器本体
４        貯水タンク装置
６        ボウル部
８        導水路
１０      排水トラップ管路
１２      リム部
１４      第１吐水口
１６      第２吐水口
１８      貯水タンク
２０      蓋部
２２      給水装置
２４      排水弁装置
２６      レバーハンドル
２６ａ    基部
２８      スピンドル
３０      玉鎖
３２      排水口
３４      給水管
３４ａ    給水口
３６      小タンク
３８      給水用フロート
４０      揺動体
４２      弁体
４２ａ    シール部
４２ｂ    シール部支え部材
４２ｃ    穿孔
４４      台座
４４ａ    柱部
４４ｃ    排水空間
４４ｄ    開口
４６      オーバーフロー管
４８      フロート
４８ａ    内筒
４８ｂ    外筒
４８ｃ    下面
５０      下降開始タイミング可変機構
５２      貯水部
５４      調整部
６２      筒体（側壁）
６４      溝部（支持手段）
６８      縦溝（ロック手段）
６９      壁部
６９ａ    両側
７２      凸部（支持手段）
７４      突起部（ロック手段）
７４ａ    左側面
７４ｂ    右側面
７４ｃ    前面
７４ｄ    下面
８２      ガイド部
８４      ガイド溝
８６      開口
【図１】
0006607521.tif 000002
【図２】
0006607521.tif 000003
【図３】
0006607521.tif 000004
【図４】
0006607521.tif 000005
【図５】
0006607521.tif 000006
【図６】
0006607521.tif 000007
【図７】
0006607521.tif 000008
【図８】
0006607521.tif 000009
【図９】
0006607521.tif 000010
【図１０】
0006607521.tif 000011
【図１１】
0006607521.tif 000012
【図１２】
0006607521.tif 000013
【図１３】
0006607521.tif 000014
【図１４】
0006607521.tif 000015
【図１５】
0006607521.tif 000016
【図１６】
0006607521.tif 000017